(57)【要約】【課題】  給油口を上にしたままで持ち運ぶ事が安全で容易に行うことができるカートリッジ式給油タンクを提供する。【解決手段】タンク本体の上面に給油口部を備え底面に回動自在に軸支された取っ手を備えたカートリッジ式給油タンクの給油口部に、常に水平方向に付勢されている給油口側取っ手を回動自在に設けたので、給油後のタンク本体を給油口部を上にしたままで持ち運ぶことができ、給油口部に付いた石油燃料が下に垂れるのを防止でき、又タンク本体をタンク収納部に収納する時、給油口側取っ手から手を放すと給油口側取っ手は握り部を上にした状態から自動的に握り部を水平にした状態に回動するので、簡単にタンク本体を器具本体のタンク収納部に収納する事が出来るものである。【選択図】  図２
2006153318.tif 000002
【特許請求の範囲】
【請求項１】
タンク本体の上面に給油口部を備えると共に、底面に回動自在に軸支された取っ手を備えたカートリッジ式給油タンクに於いて、前記給油口部に常に水平方向に付勢されている給油口側取っ手を回動自在に設けたことを特徴とするカートリッジ式給油タンク。
【請求項２】
前記給油口部は、タンク本体のタンク本体注油口が貫通する注油口孔が形成された固定板と、該固定板一端が軸支されて開閉自在な蓋部と、タンク本体注油口と螺合する注油口部と、固定板に形成された垂直係合部用孔と水平係合部用孔に差し込む垂直係合部と水平係合部を有する給油口側取っ手とを備え、該給油口側取っ手を水平方向に常に付勢する給油口側取っ手付勢手段を給油口側取っ手に設けたことを特徴とする請求項１の記載カートリッジ式給油タンク。
【請求項３】
前記水平係合部の先端は給油口側取っ手に対して水平方向に形成され、前記垂直係合部の先端は給油口側取っ手に対して垂直方向に形成され、前記水平係合部用孔と垂直係合部用孔は周縁全体が立上げられている固定板の周縁から底面にかけて断面略Ｌ字状に形成すると共に、前記水平係合部用孔は垂直係合部用孔に対して固定板の底面部分が長穴状に形成されていることを特徴とする請求項２の記載カートリッジ式給油タンク。
【発明の詳細な説明】
【技術分野】
【０００１】
この発明は石油ファンヒータやポータブル石油ストーブ等に着脱自在に収納される石油燃焼器具のカートリッジ式給油タンクに関するものである。
【背景技術】
【０００２】
従来よりこの種のものに於いては、例えば図５や図６に示すように、１０１は石油ファンヒータ等の器具本体１０２に形成されたタンク収納部１０３内に着脱自在に挿入される大容量のタンク本体で、給油時上となる上面にはワンタッチで開閉される給油口１０４を備え、底部には持ち運び用の取っ手１０５が備えられており、該取っ手１０５は、握り部１０６を片手が楽に入る大きさで、且つポリプロピレン等の合成樹脂を被覆して握りやすい太さとし重くても手が痛くならないようにしているものであり、タンク本体１０１底部に固着された支持部１０７に回動自在に軸支されている。
【０００３】
１０８は前記支持部１０７の一部を切り欠いて形成された規制手段で、タンク本体１０１より突出した巻き締め部１０９とは反対側のみに取っ手１０５を自重で横転させるように回動範囲を規制しているものであり、又横転した取っ手１０５の握り部１０６と巻き締め部１０９とは同一高さとなって、給油時にはタンク本体１０１の脚部を構成し、別部材で脚部を構成する必要がなく簡単な構成で済むものである。
【０００４】
１１０はタンク本体１０１上部で取っ手１０５の横転側の側壁に形成された凹部から成る傾倒補助部で、給油後満タンとなったタンク本体１０１を巻き締め部１０９側を支点として傾け、浮いた底部に垂下する取っ手１０５を取りやすくするものであり、又傾倒補助部１１０は凹部から成りタンク本体１０１に一体成形されるので、成形が容易で別部品を取り付ける必要もなく安価で済むと共に、外方に部品が突出して邪魔になることもないものであり、更に凹部は上方側を鋭角の傾斜壁としているから、満タンでも手が滑ることもなく確実にタンク本体１０１を傾けることが出来るものである。
【０００５】
１１１は器具本体１０２前面に備えられた温風吹き出し用の吹出口、１１２は操作部、１１３はタンク収納部１０３の開閉蓋である。
【０００６】
次にこのカートリッジ式給油タンクの給油後の一連の動作を説明する。
今給油口１０４が上になるように置かれた給油後のタンク本体１０１を持ち運ぶ時、巻き締め部１０９に片手を添え反対側の傾倒補助部１１０にもう一方の手を引っかけて、該巻き締め部１０９側を支点にしてタンク本体１０１を傾ければ、傾倒補助部１１０は取っ手１０５の横転側であるので、傾いたタンク本体１０１底部に形成される隙間には取っ手１０５が自重で斜めに垂下されている状態となり、ここに手を差し込んで取っ手１０５を握れば、タンク本体１０１を持ち上げながら容易に該タンク本体１０１の天地を逆にして器具本体１０２への挿入状態とすることが出来き、そして、この状態のまま器具本体１０２まで運び図４に示すようにタンク収納部１０３に挿入すればタンク本体１０１への燃油の補給は完了するもので、傾倒補助部１１０に手を引っかけてタンク本体１０１を傾けることで、最初から取っ手１０５を握ぎった状態での持ち運びが出来るものである。
【０００７】
ところでこの従来のものでは傾倒補助部１１０の凹部が深く形成され握りやすい形状に設けられれば、給油口１０４が上になるように置かれた給油後のタンク本体１０１を給油口１０４を上にしたままで持ち運ぶ事も出来るが、取っ手１０５を握ぎった状態に比べて不安定で、手を滑らせるとタンク本体１０１を落としてしまう可能性があった。
【０００８】
そこで給油口１０４の部分に取っ手を設けたものとして例えば図７に示すように、タンク本体１０１と別体で給油口１０４が配設された基板１１４が、タンク本体１０１に対して自在に着脱されるもので、その基板１１４に把持部１１５，１１６を有する操作ハンドル１１７，１１８が基板１１４に回動自在に軸支され、二つの操作ハンドル１１７，１１８が互いに交差するように起伏自在に設けられているものである。
【０００９】
そしてタンク本体１０１に石油燃料を給油する給油時には、二つの操作ハンドル１１７，１１８を起立させ、接近した状態の操作ハンドル１１７，１１８の把持部１１５，１１を片手で掴んで、略９０度、反時計方向に操作ハンドル１１７，１１８を回動させると、操作ハンドル１１７，１１８の回動に伴って基板１１４が反時計方向に回動して基板１１４とタンク本体１０１の係合状態が解除され、基板１１４及び給油口１０４がタンク本体１０１から離れ、図７に示すように、タンク本体１０１の給油口筒１１９が開口され、給油ポンプ等を用いて、給油口筒１１９から石油燃料を供給するものである。
【００１０】
又タンク本体１０１内への石油燃料の給油が終了したら、再び前記操作ハンドル１１７，１１８の把持部１１５，１１を掴んで、給油口１０４タンク本体１０１の給油口筒１１９に嵌合させ、その状態で操作ハンドル１１７，１１８を押しながら時計方向に略９０度回動させると、操作ハンドル１１７，１１８の回動に伴って基板１１４が時計方向に回動して基板１１４とタンク本体１０１が係合状態となり、基板１１４及び給油口１０４がタンク本体１０１と一体になるものである。
【００１１】
そしてこの給油口１０４が上向きとなる状態で、操作ハンドル１１７，１１８を取っ手として利用し、操作ハンドルを手で持ってタンク本体１０１を石油燃焼機器等の器具本体１０２の所に持ち運び、そして操作ハンドル１１７，１１８を基板１１４に沿って互いに水平状態となるようにしてから、給油口１０４が下向きになるように逆にしてタンク収納部１０３内に収容するものである。
【００１２】
【特許文献１】特開平１１−２４０４号公報
【特許文献２】特開平１０−２２７４４０公報
【発明の開示】
【発明が解決しようとする課題】
【００１３】
ところでこの従来のカートリッジ式給油タンクでは、タンク本体１０１を持ち運ぶ時や器具本体１０２に収容する時に、操作ハンドル１１７，１１８をその都度起伏させたり水平にしなくてはならず、又操作ハンドル１１７，１１８が起伏したままうっかりタンク本体１０１を器具本体１０２に収容してしまうと、起伏した操作ハンドル１１７，１１８が器具本体１０２のタンク収納部１０３の底にぶつかってうまく収容できないものであり、又２つの操作ハンドル１１７，１１８を起伏させると交差するので、その交差する部分に指を挟んでしまう可能性があった。
【課題を解決するための手段】
【００１４】
そこで、本発明は前記課題を解決するため、請求項１では、タンク本体の上面に給油口部を備えると共に、底面に回動自在に軸支された取っ手を備えたカートリッジ式給油タンクに於いて、前記給油口部に常に水平方向に付勢されている給油口側取っ手を回動自在に設けたものである。
【００１５】
又請求項２に係るカートリッジ式給油タンクでは、特にその構成を、請求項１に於いて、前記給油口部部は、タンク本体のタンク本体注油口が貫通する注油口孔が形成された固定板と、該固定板一端が軸支されて開閉自在な蓋部と、タンク本体注油口と螺合する注油口部と、固定板に形成された垂直係合部用孔と水平係合部用孔に差し込む垂直係合部と水平係合部を有する給油口側取っ手とを備え、該給油口側取っ手を水平方向に常に付勢する給油口側取っ手付勢手段を給油口側取っ手に設けたものである。
【００１６】
又請求項３に係るカートリッジ式給油タンクでは、特にその構成を、請求項２に於いて、前記水平係合部の先端は給油口側取っ手に対して水平方向に形成され、前記垂直係合部の先端は給油口側取っ手に対して垂直方向に形成され、前記水平係合部用孔と垂直係合部用孔は周縁全体が立上げられている固定板の周縁から底面にかけて断面略Ｌ字状に形成すると共に、前記水平係合部用孔は垂直係合部用孔に対して固定板の底面部分が長穴状に形成されているものである。
【発明の効果】
【００１７】
この発明の請求項１によれば、底面に回動自在に軸支された取っ手を備えたカートリッジ式給油タンクの給油口部に常に水平方向に付勢されている給油口側取っ手を回動自在に設けることで、給油後のタンク本体を給油口部を上にしたままで持ち運ぶことができ、給油口部に付いた石油燃料が下に垂れるのを防止できるものである。
【００１８】
更に給油口側取っ手を常に水平方向に付勢することで、給油口側取っ手から手を放すと給油口側取っ手は握り部を上にした状態から自動的に握り部を水平にした状態に回動するので、タンク本体をタンク収納部に収納する時、いちいち給油口側取っ手をタンク収納部に収納するための水平方向に回動させる必要がなく、簡単にタンク本体を器具本体のタンク収納部に収納する事が出来るものである。
【００１９】
又本発明の請求項２に記載のカートリッジ式給油タンクによれば、請求項１に於いて、給油口部部は、タンク本体のタンク本体注油口が貫通する注油口孔が形成された固定板と、該固定板一端が軸支されて開閉自在な蓋部と、タンク本体注油口と螺合する注油口部と、固定板に形成された垂直係合部用孔と水平係合部用孔に差し込む垂直係合部と水平係合部を有する給油口側取っ手とを備え、該給油口側取っ手を水平方向に常に付勢する給油口側取っ手付勢手段を給油口側取っ手に設けたことで、給油後のタンク本体を給油口部を上にしたままで持ち運ぶことができ、給油口部に付いた石油燃料が下に垂れるのを防止できるものである。
【００２０】
更に給油口側取っ手を常に水平方向に付勢することで、給油口側取っ手から手を放すと給油口側取っ手は握り部を上にした状態から自動的に握り部を水平にした状態に回動するので、タンク本体をタンク収納部に収納する時、いちいち給油口側取っ手をタンク収納部に収納するための水平方向に回動させる必要がなく、簡単にタンク本体を器具本体のタンク収納部に収納する事が出来るものである。
【００２１】
又本発明の請求項３に記載のカートリッジ式給油タンクによれば、請求項２に於いて、水平係合部の先端は給油口側取っ手に対して水平方向に形成され、前記垂直係合部の先端は給油口側取っ手に対して垂直方向に形成され、前記水平係合部用孔と垂直係合部用孔は周縁全体が立上げられている固定板の周縁から底面にかけて断面略Ｌ字状に形成すると共に、前記水平係合部用孔は垂直係合部用孔に対して固定板の底面部分が長穴状に形成されているので、給油口側取っ手を起伏させた状態では、給油口側取っ手の垂直係合部が固定板に当接して給油口側取っ手がそれ以上回動することがないので、給油口側取っ手を持っても給油口側取っ手の位置が安定して持ちやすいものであり、又仮に常に給油口側取っ手が水平方向に回動した時、給油口側取っ手とタンク本体上面との間に指を挟んでしまっても、給油口側取っ手を水平方向に付勢する力は指を怪我するほど強くないので、それにより怪我をすることはないものである。
【００２２】
更にタンク本体に組み付ける前の給油口部は、給油口側取っ手を常に水平方向に付勢されていることで水平係合部が固定板に当接する状態になって給油口側取っ手が抜けない状態が保たれるので、組み付け前に部品として運ぶ時に給油口側取っ手がはずれてしまうことがなく、給油口部をタンク本体に組み付ける作業の効率が上がるものである。
【発明を実施するための最良の形態】
【００２３】
次に、本発明に係る発明の一実施例を図面に基づいて説明する。
１は石油ファンヒータ等の器具本体（図示せず）に形成されたタンク収納部（図示せず）内に着脱自在に挿入される大容量のタンク本体で、給油時上となる上面にはワンタッチで開閉される給油口部２を備え、底部には持ち運び用の取っ手３が備えられている。
【００２４】
前記取っ手３は、握り部４を片手が楽に入る大きさで、且つポリプロピレン等の合成樹脂を被覆して握りやすい太さとし重くても手が痛くならないようにしているものであり、タンク本体１底部に固着された支持部５に回動自在に軸支されている。
【００２５】
前記給油口部２は、略長方形状で周縁全体がプレス加工によって立上げられ、タンク本体１に固定される固定板６と、該固定板６に一端が軸支されて開閉自在な蓋部７と、前記固定板６をタンク本体１に固定する注油口部８とからなり、更に前記固定板６は、略中央にタンク本体１上部に突出したタンク本体注油口９が貫通する注油口孔１０が形成され、又略長方形状の長手方向の一端に蓋部７を開閉自在に軸支する軸支部１１が設けられ、他端には蓋部７を係止する係止手段１２が設けられているものである。
【００２６】
前記軸支部１１は、蓋部７に軸１３を支持するカ−リング状の支持部１４を設け、対応する固定板６の端部にも軸１３を支持するカ−リング状の支持受部１５を設け軸支部１１としており、更に支持部１４、支持受部１５のいずれか一方の内径は他の内径より大径として遊びを持たせている。
又前記軸支部１１には蓋部７をタンク本体１の反対方向に持ち上げるように作用する弾性部材１６が設けられ、蓋部７が軸支部１１を中心にして起伏自在に成すものである。
【００２７】
又前記係止手段１２は、引張ボタン１６と係止ロット１７と該係止ロット１７を常に内側方向に弾設するスプリング１８とから構成され、固定板６から切り起こされた支持片１９に摺動自在に支持されている。
【００２８】
又前記蓋部７は、略長方形状で周縁全体がプレス加工によって立下げられ、略長方形状の長手方向の一端に支持部１４が設けられ、他端には固定板６の係止手段１２と係合するフック手段２０が設けられているものである。
【００２９】
前記フック手段２０は、蓋部７側で係止手段１２と対向する位置に備えられ、係止ロット１７に係止するカギ型を一側に設けたフック金具２１と、該フック金具２１を回動自在に軸支する支軸２２と、該支軸２２を支持する蓋部７より切り起こされた軸支片２３と、フック金具２１を常に係止ロット１７との係止側に作用させるバネ２４とから構成され、更にフック金具２１には係止状態を越えての回動を阻止すると共に、係止完了を「パチン」と言う音で報知する為に蓋部７と当接する当接部２５が形成されているものである。
【００３０】
又前記蓋部７の略中央には、突設した逆凹状の注油口キャップ２６が設けられ、該注油口キャップ２６の外径は注油口部８の外径より大と成し、且つその高さは注油口部８より低くしてあり、又注油口部８内中央に燃油を落差で供給する給油装置２７がカシメられて取り付けられ、開閉弁（図示せず）と心棒（図示せず）と該開閉弁を常に弾設するスプリング２８と連通口２９を有した弁ケ−ス３０とから構成され、又注油口キャップ２６の内面には耐油性で筒状のパッキン３１が取り付けられているものである。
【００３１】
３２は略コの字状の給油口側取っ手で、中央の握り部３３の両端にそれぞれ握り部３３に対して略直角曲がった状態で支持棒部３４，３５が設けられ、更に前記支持棒部３４，３５の先端部分は握り部３３と平行になるように略直角曲げられているものである。
【００３２】
更に前記支持棒部３４の先端は、握り部３３や支持棒部３４に対して垂直方向に上向きに曲げられて垂直係合部３６が形成され、支持棒部３５の先端は、握り部３３や支持棒部３４に対して水平方向に更に直角曲げられて水平係合部３７が形成されているものである。
【００３３】
又固定板６の長手方向に対して両側面の立上げられている周縁部分に、側面から底面にかけて断面略Ｌ字状の垂直係合部用孔３８と水平係合部用孔３９とがそれぞれ形成されており、前記給油口側取っ手３２の垂直係合部３６が垂直係合部用孔３８に差し込まれ、水平係合部３７が水平係合部用孔３９に差し込まれるものであり、更に前記水平係合部用孔３９は垂直係合部用孔３８に比べて固定板６の底面部分が長穴状に形成されているものであり、それにより垂直係合部３６が垂直係合部用孔３８から抜けにくくなっているものである。
【００３４】
４０はコイルスプリングからなる給油口側取っ手付勢手段で、支持棒部３４の先端部分で一端が握り部３３と平行になるように略直角曲げられている部分に、給油口側取っ手付勢手段４０のコイル部分が巻き付けられ、そのスプリングの一端が支持棒部３４に係合され、スプリングの他端が固定板６に係合されることで、給油口側取っ手３２を水平方向に常に付勢しているものである。
【００３５】
この給油口部２は部品として供給され、タンク本体１に組み付けられるもので、
この給油口部２の組み立て手順について説明する。
まず固定板６の他端に引張ボタン１６と係止ロット１７と該係止ロット１７を常に内側方向に弾設するスプリング１８とを取り付けて係止手段１２を設け、次にその反対の固定板６の他端の支持受部１５と蓋部７の支持部１４とを軸１３にり軸支して蓋部７を固定板６に対して開閉自在に設け、この時弾性部材１６を一緒に取り付けて蓋体７をタンク本体１の反対方向に持ち上げるように作用するようにする。
【００３６】
そして固定板６に蓋部７が軸支されたもので固定板６の係止手段１２と蓋体７のフック手段２０とを係合して蓋部７が閉じた状態のものに、支持棒部３４の先端部分で一端が握り部３３と平行になるように略直角曲げられている部分に給油口側取っ手用スプリング４０のコイル部分が巻き付けられた給油口側取っ手３２を水平にした状態、つまり垂直係合部３６の先端が上向きになっている状態で垂直係合部３６を下から垂直係合部用孔３８に差し込む。
【００３７】
そしてその状態から給油口側取っ手３２を直角に回転させて握り部３３を上にした状態、つまり水平係合部３７の先端が上向きになっている状態で水平係合部３７を下から水平係合部用孔３９に差し込む。
【００３８】
そしてその垂直係合部３６が垂直係合部用孔３８に差し込まれると共に、水平係合部３７が水平係合部用孔３９に差し込まれている状態から再度給油口側取っ手３２を水平にした状態にする。
【００３９】
この状態で水平係合部３７が固定板６に当接する状態になるので給油口側取っ手３２が抜けなくなり、そして給油口側取っ手付勢手段４０の他端を固定板６に係合して給油口側取っ手３２が水平方向に常に付勢されるようにすることで、給油口側取っ手３２が抜けない状態が保たれるもので、これにより給油口部２の組み立てが完了する。
【００４０】
そしてこの組み立てが完了した給油口部２をタンク本体１に組み付ける時は、係止手段１２を操作して蓋部７が開いた状態にし、その状態で固定板６の注油口孔１０にタンク本体１上部のタンク本体注油口９を貫通させ、そして注油口部８の内周とタンク本体注油口９の外周はねじ切りされているので、タンク本体注油口９に注油口部８を当てて注油口部８を回転すると、注油口部８の内周とタンク本体注油口９の外周のねじ切りした部分がかみ合って注油口部８が下に移動し、注油口部８を回し切った時点で固定板６が注油口８とタンク本体１上部に挟まれた状態となって給油口部２がタンク本体１に組み付けられるものである。
【００４１】
このように本発明では給油口部２側に給油口側取っ手３２を設けたので、給油後のタンク本体１を給油口部２を上にしたままで持ち運ぶことができ、給油口部２に付いた石油燃料が下に垂れるのを防止できるものである。
【００４２】
又給油口側取っ手３２を常に水平方向に付勢することで、給油口側取っ手３２から手を放すと給油口側取っ手３２は握り部３３を上にした状態から自動的に握り部３３を水平にした状態に回動するので、給油後で給油口部２を上にした状態のタンク本体１の給油口側取っ手３２を握った状態で更に取っ手３を握って給油口側取っ手３２から手を離してタンク本体１が回転して給油口部２を下にした状態、つまり給油後のタンク本体１を器具本体のタンク収納部に収納する時、給油口側取っ手３２は自動的にタンク収納部に収納するための水平方向に位置するので、タンク収納部に収納する時いちいち給油口側取っ手３２を水平方向に回動させる必要がなく、簡単にタンク本体１を器具本体のタンク収納部に収納する事が出来るものである。
【００４３】
又給油口側取っ手３２を起伏させても交差する部分がないので指を挟んでしまうことはなく、更に給油口側取っ手３２を起伏させた状態では、給油口側取っ手３２の垂直係合部３６が固定板６に当接する状態になるので、給油口側取っ手３２がそれ以上回動することがないので、給油口側取っ手３２を持っても給油口側取っ手３２の位置が安定して持ちやすいものであり、又仮に常に給油口側取っ手３２が水平方向に回動した時、給油口側取っ手３２とタンク本体１上面との間に指を挟んでしまっても、給油口側取っ手３２を水平方向に付勢する力は指を怪我するほど強くないので、それにより怪我をすることはないものである。
【００４４】
又タンク本体１に組み付ける前の給油口部２は、給油口側取っ手３２を常に水平方向に付勢されていることで水平係合部３７が固定板６に当接する状態になって給油口側取っ手３２が抜けない状態が保たれるので、組み付け前に部品として運ぶ時に給油口側取っ手３２がはずれてしまうことがなく、給油口部２をタンク本体１に組み付ける作業の効率が上がるものである。
【図面の簡単な説明】
【００４５】
【図１】この発明一実施例を付したタンク本体の斜視図。
【図２】同タンク本体に給油口部を組み付ける状態を示す要部斜視図。
【図３】同固定板の平面図。
【図４】同給油口側取っ手の平面図。
【図５】従来のタンク本体器具本体に挿入する状態を示す斜視図。
【図６】同タンク本体の斜視図。
【図７】別の従来例の給油口を外した状態を示す要部斜視図。
【符号の説明】
【００４６】
１  タンク本体
２  給油口部
３  取っ手
６  固定板
７  蓋部
８  注油口部
９  タンク本体注油口
３２  給油口側取っ手
３６  垂直係合部
３７  水平係合部
３８  垂直係合部用孔
３９  水平係合部用孔
４０  給油口側取っ手付勢手段
【図１】
2006153318.tif 000003
【図２】
2006153318.tif 000004
【図３】
2006153318.tif 000005
【図４】
2006153318.tif 000006
【図５】
2006153318.tif 000007
【図６】
2006153318.tif 000008
【図７】
2006153318.tif 000009